(57)【特許請求の範囲】
【請求項１】
蓄熱槽等の断熱を必要とする構築物の壁面に取付けられる発泡体から成る断熱材の全体を防水材料の表皮材で被覆した断熱パネルであって、
前記表皮材をポリプロピレン，ポリエチレン，ＡＢＳのいずれかの材料をブロー成形して形成し、
このブロー成形時に取付用の孔を形成するかボルトをインサートして壁面への取付けを図ったことを特徴とする断熱パネル。
【請求項２】
２以上の断熱パネルの片面をつなぎ、つないだ個所をヒンジ部としたことを特徴とする請求項１に記載の断熱パネル。
【請求項３】
請求項１又は２に記載の断熱パネルを壁面や天井面に取付け、底面に多数の湧水パネルを取付けた蓄熱槽であって、
前記湧水パネルの下面に複数の突起を形成し、これら突起間に閉鎖空間とはならない隙間を形成し、
これら湧水パネル上に前記断熱パネルを取付けたことを特徴とする蓄熱槽。
【請求項４】
前記湧水パネルは、正方形状の２枚の板をずらせて貼り合わせ、下の２辺がはみ出るようになった部分は上の正方形状の板部分から１枚の板厚分の段差を設けて板部分と一体成形し、はみ出た部分に対し他の湧水パネルの板部分を重ね合わせて多数の湧水パネルを底面上に並べることを特徴とする請求項３に記載の蓄熱槽。
【請求項５】
前記はみ出た部分に複数の凸部を形成し、板部分のはみ出た部分に対向する個所に凸部が嵌合する孔を形成したことを特徴とする請求項４に記載の蓄熱槽。
【発明の詳細な説明】
【０００１】
【発明の属する技術分野】
この発明は、ビルの冷暖房に利用されるヒートポンプシステム，熱回収システム，ソーラーシステム等の採用時に必要となる蓄熱槽等の断熱を必要とする構築物の壁面に取付けられる断熱パネル及びこれを使用した蓄熱槽に関する。
【０００２】
【従来の技術】
従来の蓄熱式ヒートポンプシステムに用いられる蓄熱槽は、ビルの地下の最下部の空間を利用して冷水／温水を貯めておく構築物であり、槽内の水温を均一にし、水の流れが一定で滞留等が起こらないようにしてあり、さらに熱損失を防ぎ効率を高くするために十分な断熱を施す必要があるものである。そのため、コンクリート等の蓄熱槽の壁面に最初にエマルジョン系塗膜防水を施し、次いで有機質系保護モルタルを施して防水・防湿層を形成し、この層上に発泡体から成る断熱材を取付け、この断熱材上に防水シートを取付けたものが知られている。あるいは断熱材の片面に予め樹脂板等の面材を取付けておき、この面材付断熱材を面材が内側を向くように壁面に取付け、断熱材同士の突き合わせ部、すなわち継目にはシーリング材やホットメルトあるいはシートを取付けていた。
【０００３】
【発明が解決しようとする課題】
従来の防水シートを使用したものでは、水蒸気や結露により天井の防水シートの裏側に水分がたまり、シートのたるみや破損が生ずるおそれがあった。また、蓄熱槽のコンクリートの打ち継ぎ部とか不慮のコンクリートクラック等から地下水や海水等が槽内に流入するおそれがあり、その流入量によっては、内側の防水・防湿層では流入を阻止することができず、断熱材が湿潤し、防水シートに水がたまり、シートのたるみや破損が生じたり、面材付断熱材ではその継目のシーリング材等の破損が生ずることもあった。また、断熱材が水に浸るため、断熱性能の低下を免れない。
【０００４】
そこで、この発明は、結露や湧水等により断熱材が水に浸り、防水シートが破損するのを防止できる断熱パネル及びこれを使用した蓄熱槽を提供することを目的とする。
【０００５】
【課題を解決するための手段】
上述の目的を達成するため、この発明の断熱パネルは、蓄熱槽等の断熱を必要とする構築物の壁面に取付けられる発泡体から成る断熱材の全体を防水材料の表皮材で被覆した断熱パネルであって、前記表皮材をポリプロピレン，ポリエチレン，ＡＢＳのいずれかの材料をブロー成形して形成し、このブロー成形時に取付用の孔を形成するかボルトをインサートして壁面への取付けを図ったものである。また、蓄熱槽は、請求項１又は２に記載の断熱パネルを壁面や天井面に取付け、底面に多数の湧水パネルを取付けた蓄熱槽であって、前記湧水パネルの下面に複数の突起を形成し、これら突起間に閉鎖空間とはならない隙間を形成し、これら湧水パネル上に前記断熱パネルを取付けたものである。
【０００６】
【発明の実施の形態】
図１に示す実施例は、断面形状を示す断熱パネル１であり、発泡体から成る断熱材２の全体を防水材料の表皮材３で被覆したものである。断熱材２としては、ポリウレタン，ポリプロピレン，ポリエチレン，ポリスチレン等の発泡体を使用でき、表皮材３としては、ポリプロピレン，ポリエチレン，ＡＢＳ等のブロー成形品が好適に使用できる。表皮材３をブロー成形した後又は直後に断熱材２の原料となるビーズを内部で発泡させることにより断熱パネル１を容易に製造できる。表皮材３の厚みは０．２〜７mm、強度と重量とのバランスを考慮すると好適には０．５〜４mmである。断熱材２の厚みは必要とする断熱性能に応じて決められている。また、壁面への取付けを考慮して、断熱パネル１の製造時にボルト等の挿通用の孔を形成しておく。この孔に壁面に埋め込まれたボルト等を通して断熱パネル１を壁面に取付ける。あるいは、壁面に雌ねじを埋め込むとともに、表皮材３の成形時にボルトをインサートしておき、これら雌ねじにボルトをねじ込んで断熱パネル１を壁面に取付けてもよい。また、前記孔の底は貫通させずに有底孔とし、この底からコンクリートドリルで壁面に穴をあけ、この穴に固定具を挿入してパネルを取付けることもできる。
【０００７】
図２は、この断熱パネル１を天井面１０に取付けた例を示し、取付具４で取付けるとともに、断熱パネル１同士の突き合わせ個所すなわち継目にはシーリング等は施さずそのままにしてある。
【０００８】
図３は、２以上の断熱パネル１の片面をつないで、つないだ個所をヒンジ部５としたものを示す。このようなヒンジ部５を設けることにより長尺物を槽内に持ち込む必要がなく取扱いが容易となる。
【０００９】
図４は、蓄熱槽１の内部を示す概略図であり、天井面１０にはこの断熱パネル１を取付け、底面１１には湧水パネル６を取付け、この湧水パネル６上に断熱パネル１を取付けてある。底面１１に設けた断熱パネル１の突き合わせ部、すなわち継目にはシーリング材，ホットメルト，シート，ガスケット等を用いて防水処理を施してある。あるいは、断熱パネル１を取付けた後にこれら断熱パネル１上に防水シート７を取付けてもよい。図中符号２０はマンホールを示し、符号２１は通気管、符号２２は連通管を示す。蓄熱槽の壁面１２も底面１１と同様の構造であってもよい。
【００１０】
湧水パネル６は、図５に示すように、正方形状の２枚の板をずらせて貼り合わせた恰好のものであり、この片面に複数の突起６１を形成し、突起６１間に閉鎖空間とはならない隙間６２を形成してある。下の２辺がはみ出るようになった部分６３は上の正方形状の板部分６４から１枚の板厚分の段差を設けて板部分６４と一体成形される。この部分６３に対し他の湧水パネル６の板部分６４を重ね合わせて多数の湧水パネル６を並べた時、複数の上の板部分６４の面は平坦となる。はみ出た２辺の部分６３には複数の凸部６３Ａが形成してあり、上の板部分６４の部分６３と対向する２辺には凸部６３Ａが嵌合する孔６４Ａが形成してある。また、底面１１や壁面１２に取付くため板部分６４に取付孔６５を形成してある。
【００１１】
この湧水パネル６は、図５に示すように、円筒形状の突起６１を中央部に配し、円筒形をほぼ半分に割った形状のものを周辺部に配してある。突起６１の形状は種々の形状が考えられる。底面１１や壁面１２に突起６１を介在させて湧水パネル６を取付けたときに湧水が円筒形状の突起６１内に閉じ込められないように突起６１の開口端部を塞ぐかあるいは隙間６２に通ずる孔を開けておくようにしてもよいが、円筒形状の突起６１の開口端部が底面１１や壁面１２に密着しない場合には上述のようなことは必要ない。突起６１は湧水パネル６と一体成形してもよいし、別個に取付けることもできる。
【００１２】
底面が２ｍ×３ｍの大きさで高さ２ｍのコンクリート製の水槽を形成し、底面と壁面には断熱材を取付け、これら断熱材上に１．５mmの厚さをもった水添ＳＢＲ／ＰＰアロイから成る防水シートを取付け、天井面も底面や壁面と同じような構造のものを用いたものを比較例１とし、底面と壁面とは比較例１と同様の構造で、防水シートを軟質塩化ビニル製とし、天井面にスチレンボードから成る断熱材と塩化ビニル板とを接着した板材を取付け、板材間の継目処理として軟質塩化ビニルシートを接着したものを比較例２とした。また、底面と壁面とは比較例１と同様であって天井面に表皮材３としてポリプロピレンをブロー成形したものを用い、断熱材としてポリスチレンを発泡成形したもの、すなわち断熱パネル１を取付け、継目処理をしないものを実施例１とした。同様に断熱パネル１を天井面に取付け、継目にシート熱融着を施したものを実施例２とした。このような水槽に水を入れ、５℃で２週間、６０℃の温水で２週間のサイクルを１０回行なって天井面に取付けた断熱材の濡れを観察した。その結果比較例１と比較例２は断熱材が濡れたが、実施例１，２の断熱材に濡れは観察されなかった。このような実験結果から明らかなようにこの断熱パネル１を天井面に用いれば水蒸気や結露による断熱材の濡れは生ぜずかつ防水シートのたるみや破損のおそれもない。
【００１３】
図４に示すような湧水パネル６をこの断熱パネル１と併用した場合には、断熱パネル１の継目部にシーリング材やホットメルト等を施しておけば、蓄熱槽のコンクリートの打ち継ぎ部とか不慮のコンクリートクラック等から地下水や海水等が槽内に流入した場合でも、継目部のシーリング材等の破損も生ぜず、断熱材が濡れることもない。このような湧水パネル６を施工しない場合には、断熱パネル１の継目部に施したシーリング材等が破損した。また、天井面１０にのみこの断熱材１を取付け、継目部にはシーリング材等を施し、底面１１及び壁面１２には湧水パネル６を併用した場合には、湧水，水蒸気，結露でも天井に溜まった水は壁面１２の湧水パネル６の湧水通路を通って排水される。
【００１４】
湧水パネル６と断熱パネル１とを底面１１や壁面１２に取付ける場合のみならず、天井面１０と同様にして断熱パネル１のみを底面１１や壁面１２に取付けることも可能である。断熱パネル１の天井面１０、底面１１、壁面１２への取付方法としては、これら各面１０〜１２を有する部分をコンクリートで作る場合、コンクリート打設時に断熱パネル１を型枠として使用し、打設後に断熱パネル１がコンクリート製躯体と一体化するようにすることもできる。この場合、表皮材３の成形時にアンカーボルトをインサートしておき、このアンカーボルトがコンクリート内に埋設されるようにしておけば、コンクリート打設後に断熱パネル１は躯体に強固に固着される。更にパネルの目地部分を防水シートで熱融着したり、樹脂溶接することで防水処理を行うことで、断熱防水壁とすることができる。
【００１５】
【発明の効果】
以上説明したように、この発明に係る断熱パネルによれば、発泡体から成る断熱材の全体を防水材料の表皮材で被覆したので、断熱材が濡れ、断熱性能を損なうことはない。また、現場での施工も、断熱パネルを蓄熱槽等の天井面に取付けるだけですみ、断熱材を取付け防水シートをさらに取付けるという従来の施工に比べて容易となる。また、少なくとも天井面に発泡体から成る断熱材の全体を防水材料の表皮材で被覆した断熱パネルのみを取付けた蓄熱槽では、水蒸気や結露による断熱材の濡れあるいは従来のような防水シートに水が溜まり破損するというおそれはなくなる。この発明の断熱パネルの表皮材はブロー成形されるので、ブロー成形時に取付用の孔を成形しておくか、ボルトをインサートしておくことにより、壁面への取付けが容易となる。また、この発明の蓄熱槽は、請求項１又は２に記載の断熱パネルを壁面や天井面に取付け、底面に多数の湧水パネルを取付けた蓄熱槽であって、前記湧水パネルの下面に複数の突起を形成し、これら突起間に閉鎖空間とはならない隙間を形成し、これら湧水パネル上に前記断熱パネルを取付けたので、仮りに地下水等が槽内に流入しても湧水パネルの湧水通路を通って排水される。
【図面の簡単な説明】
【図１】断熱パネルの断面図。
【図２】断熱パネルを天井面に取付けた一例を示す断面図。
【図３】断熱パネル同士をヒンジ部で連結した例を示す断面図。
【図４】蓄熱槽の内部を示す概略図
【図５】湧水パネルの斜視図。
【図６】湧水パネルの底面側から見た斜視図。
【符号の説明】
１  断熱パネル
２  断熱材
３  表皮材
１０  天井面
【図１】
0003666695.tif 000002
【図２】
0003666695.tif 000003
【図３】
0003666695.tif 000004
【図４】
0003666695.tif 000005
【図５】
0003666695.tif 000006
【図６】
0003666695.tif 000007